(57)【要約】【課題】正イオン発生部で発生した正イオンが中性原子に変換されずにそのまま外部へ放出されることを抑制する。【解決手段】イオン発生装置１０は、正イオン発生部１３と、負イオン発生部１４と、反発電極３０とを備える。正イオン発生部１３は正イオンを発生する。負イオン発生部１４は、負イオンと、正イオンを中性原子にするための電子とを発生する。反発電極３０は、正イオン発生部１３と負イオン発生部１４との間に設けられ、正イオンを負イオン発生部１４に近づけるための電気的な反発力を正イオンに作用させる。【選択図】図３
2014007007.tif 000002
【特許請求の範囲】
【請求項１】
正イオンを発生する正イオン発生部と、
負イオンと前記正イオンを中性原子にするための電子とを発生する負イオン発生部と、
前記正イオン発生部と前記負イオン発生部との間に設けられ、前記正イオンを前記負イオン発生部に近づけるための電気的な反発力を前記正イオンに作用させる反発電極とを備える、イオン発生装置。
【請求項２】
前記反発電極は、前記正イオン発生部から前記負イオン発生部に向かう経路を挟み込むように前記経路の両側に設けられる第１反発電極および第２反発電極を含む、請求項１に記載のイオン発生装置。
【請求項３】
前記第１反発電極と前記第２反発電極との間隔は、前記負イオン発生部に近づくほど狭くなる、請求項２に記載のイオン発生装置。
【請求項４】
前記第１、第２反発電極は、前記負イオン発生部を挟み込む位置まで延在する、請求項２または３に記載のイオン発生装置。
【請求項５】
前記第１、第２反発電極は、前記正イオン発生部を挟み込む位置まで延在する、請求項２〜４のいずれかに記載のイオン発生装置。
【請求項６】
前記正イオン発生部は、誘導体の表面に形成される放電電極と、前記誘導体を挟んで前記放電電極と対向して配置される誘導電極とを含み、
前記放電電極は、正電圧が印加される導電部位と、前記導電部位に電気的に接続された尖鋭形状を有する放電部位とを含み、
前記放電部位は、前記負イオン発生部との間に前記導電部位が介在しない位置に設けられる、請求項１〜５のいずれかに記載のイオン発生装置。
【請求項７】
前記正イオンは、Ｈ＋（Ｈ２Ｏ）ｍ（ｍは任意の自然数）であり、
前記負イオンは、Ｏ２−（Ｈ２Ｏ）ｎ（ｎは零または任意の自然数）である、請求項１〜６のいずれかに記載のイオン発生装置。
【請求項８】
前記負イオン発生部は、針状電極を含む、請求項１〜６のいずれかに記載のイオン発生装置。
【請求項９】
請求項１〜８のいずれかに記載のイオン発生装置と、
前記正イオン発生部から前記負イオン発生部に向かう空気の流れを発生させる送風装置とを備えた電気機器。
【発明の詳細な説明】
【技術分野】
【０００１】
本発明は、正イオンと、負イオンと、正イオンを中性原子にする電子とを発生するイオン発生装置に関する。
【背景技術】
【０００２】
特開２００６−３４９５７号公報（特許文献１）には、正イオンを発生するセラミックプレートと、負イオンと正イオンを中性原子にする電子とを発生する針状電極とを含むイオン発生装置が開示される。
【０００３】
セラミックプレートおよび針状電極は、基台の中央に所定距離を隔てて配置される。セラミックプレートで発生した正イオンは、送風手段等によって針状電極に向かう方向に流通し、針状電極で発生する電子と結びついて中和されて中性原子に変換される。
【先行技術文献】
【特許文献】
【０００４】
【特許文献１】特開２００６−３４９５７号公報
【発明の概要】
【発明が解決しようとする課題】
【０００５】
特許文献１に開示されたイオン発生装置では、針状電極が基台の中央に配置されているため、針状電極から離れた領域では、正イオンを中和させるための電子の数が減る。そのため、セラミックプレート（正イオン発生部）で発生した正イオンが針状電極（負イオン発生部）から離れた領域を通ると、正イオンが電子と中和されにくくなり、正イオンが中性原子に変換されずにそのまま外部へ放出されるおそれがある。
【０００６】
本発明は、上述した課題を解決するためになされたものであって、その目的は、正イオン発生部で発生した正イオンが中性原子に変換されずにそのまま外部へ放出されることを抑制することである。
【課題を解決するための手段】
【０００７】
この発明に係るイオン発生装置は、正イオンを発生する正イオン発生部と、負イオンと正イオンを中性原子にするための電子とを発生する負イオン発生部と、正イオン発生部と負イオン発生部との間に設けられ、正イオンを負イオン発生部に近づけるための電気的な反発力を正イオンに作用させる反発電極とを備える。
【０００８】
好ましくは、反発電極は、正イオン発生部から負イオン発生部に向かう経路を挟み込むように経路の両側に設けられる第１反発電極および第２反発電極を含む。
【０００９】
好ましくは、第１反発電極と第２反発電極との間隔は、負イオン発生部に近づくほど狭くなる。
【００１０】
好ましくは、第１、第２反発電極は、負イオン発生部を挟み込む位置まで延在する。
好ましくは、第１、第２反発電極は、正イオン発生部を挟み込む位置まで延在する。
【００１１】
好ましくは、正イオン発生部は、誘導体の表面に形成される放電電極と、誘導体を挟んで放電電極と対向して配置される誘導電極とを含む。放電電極は、正電圧が印加される導電部位と、導電部位に電気的に接続された尖鋭形状を有する放電部位とを含む。放電部位は、負イオン発生部との間に導電部位が介在しない位置に設けられる。
【００１２】
好ましくは、正イオンは、Ｈ＋（Ｈ２Ｏ）ｍ（ｍは任意の自然数）である。負イオンは、Ｏ２−（Ｈ２Ｏ）ｎ（ｎは零または任意の自然数）である。
【００１３】
好ましくは、負イオン発生部は、針状電極を含む。
この発明の別の局面に係る電気機器は、上記のイオン発生装置と、正イオン発生部から負イオン発生部に向かう空気の流れを発生させる送風装置とを備える。
【発明の効果】
【００１４】
本発明によれば、正イオン発生部で発生した正イオンが中性原子に変換されずにそのまま外部へ放出されることを抑制することができる。
【図面の簡単な説明】
【００１５】
【図１】イオン発生装置を備えた空気清浄機の外観図である。
【図２】図１のＢ−Ｂ断面を示す図である。
【図３】イオン発生装置の斜視図である。
【図４】イオン発生装置の外観図である。
【図５】イオン発生装置の内部構造を示す図である。
【図６】イオン発生装置における反発電極の作用を説明するための図である。
【図７】イオン発生装置における放電電極の作用を説明するための図である。
【図８】イオン発生装置の変形例を示す図（その１）である。
【図９】イオン発生装置の変形例を示す図（その２）である。
【図１０】イオン発生装置の変形例を示す図（その３）である。
【図１１】イオン発生装置の変形例を示す図（その４）である。
【図１２】イオン発生装置の変形例を示す図（その５）である。
【発明を実施するための形態】
【００１６】
以下、図面を参照しつつ、本発明の実施の形態は説明される。以下の説明では、同一の部品には同一の符号が付されている。それらの名称および機能も同じである。したがってそれらについての詳細な説明は繰り返されない。
【００１７】
図１は、本実施の形態に係るイオン発生装置を備えた電気機器の一例である空気清浄機１の外観を示す図である。なお、本実施の形態に係るイオン発生装置は、空気清浄機以外に、イオン発生機、エアコンディショナ（車両搭載用を含む）、換気装置、冷蔵庫、洗濯機、掃除機、乾燥機、加湿機、除湿機、ヘアドライヤー、セラミックファンヒータ、扇風機等の電気機器に備えられていてもよい。
【００１８】
図１に示すように、空気清浄機１には、正面から視て（図１の矢印Ａの方向から視て）中央上部に第１吹出口２が設けられる。空気清浄機１の背面には、吸込口（図２参照）が設けられる。空気清浄機１の内部には、電力の供給を受けて作動する、送風装置とイオン発生装置（図２参照）とが設けられる。空気清浄機１の作動時においては、送風装置により吸込口から取り込まれた空気は、イオン発生装置で発生したイオンとともに、第１吹出口２から吹き出される。
【００１９】
図２は、図１の空気清浄機１のＢ−Ｂ断面を示す図である。図２に示すように、空気清浄機１は、筺体３と、送風装置５と、イオン発生装置１０と、ダクト１１とを含む。送風装置５と、イオン発生装置１０と、ダクト１１とは、筺体３の内部の所定の位置に設けられる。
【００２０】
筺体３の上面は、背面側に傾斜して形成される。筺体３の上面には、第２吹出口４が設けられる。筺体３の背面の中央よりも下側には、送風装置５を配置するための空間を確保するために他の面よりも背面側に突出した突出面が形成され、当該突出面に吸込口６が形成される。
【００２１】
吸込口６には、樹脂製の格子状のグリル７が設けられる。グリル７の内側には網目状の薄いフィルタ８が貼り付けられている。フィルタ８の奥（送風装置５側）には、送風装置５に異物やユーザの指が入り込まないようにファンガード９が設けられる。
【００２２】
送風装置５は、筺体３内の下側に設けられ、吸込口６から吸い込まれた空気をダクト１１内に送る。送風装置５は、たとえば、クロスフローファンであるが、特にこれに限定されるものではない。
【００２３】
ダクト１１は、筺体３の内部に上下方向に沿って設けられる。ダクト１１の下端の開口部は、吸込口６に対向して設けられる。また、ダクト１１の下端の開口部には、送風装置５が設けられる。ダクト１１の上端は、第１吹出口２および第２吹出口４の各々に接続される。
【００２４】
イオン発生装置１０は、図２の破線枠に示すように、ダクト１１の上端と下端との間の中央部に設けられる。イオン発生装置１０は、直方形状のケース１２と、正イオン発生部１３と、負イオン発生部１４と、反発電極３０とを含む。正イオン発生部１３と、負イオン発生部１４と、反発電極３０とは、ケース１２の複数の面のうちのいずれか一つの面（以下「イオン発生面」という）に設けられる。正イオン発生部１３と負イオン発生部１４とは、予め定められた距離だけ離隔するように設けられる。反発電極３０は、正イオン発生部１３と負イオン発生部１４との間に設けられる。なお、ケース１２は、正イオン発生部１３と負イオン発生部１４との相対的な位置関係を規制できればよく、特に直方形状に限定されるものではない。
【００２５】
ダクト１１の中央部にはイオン発生装置１０を取り付けるための開口部が形成される。イオン発生装置１０は、ダクト１１の開口部を塞ぐように取り付けられる。このとき、ケース１２のイオン発生面がダクト１１の内壁面と一体になるようにイオン発生装置１０がダクト１１に取り付けられる。イオン発生装置１０がダクト１１に取り付けられた状態である場合には、正イオン発生部１３の位置は、負イオン発生部１４の位置よりもダクト１１の下端側（空気の流れの上流側）の位置になる。
【００２６】
図２の白抜き矢印に示すように、送風装置５が作動することによって吸込口６から吸い込まれた空気は、送風装置５を経由してダクト１１の下端に送られる。ダクト１１の下端に送られた空気は、ダクト１１内のイオン発生装置１０で発生したイオンとともにダクト１１の上端に向けて流通する。ダクト１１の上端に流通した空気とイオンとは、第１吹出口２から空気清浄機１の正面に向けて放出されるとともに、第２吹出口４から空気清浄機１の斜め後ろに向けて放出される。
【００２７】
イオン発生装置１０の正イオン発生部１３には、正電圧が印加された結果、沿面放電により空気中の水分が電離されてＨ＋（Ｈ２Ｏ）ｍ（ｍは自然数）（以下、単に「正イオン」という）が発生する。一方、負イオン発生部１４には、負電圧が印加された結果、放電により電子と、Ｏ２−（Ｈ２Ｏ）ｎ（ｎは零または自然数）（以下、単に「負イオン」という）とが発生する。
【００２８】
送風装置５が作動すると、正イオン発生部１３で発生した正イオンは、ダクト１１内を流れる空気とともに、負イオン発生部１４に向かって流通する。負イオン発生部１４に向かって流通する正イオンは、負イオン発生部１４で発生した電子と結びつくと水素原子（中性原子）に変換される。水素原子は、負イオン発生部１４で発生した負イオンとともに第１吹出口２または第２吹出口４から空気清浄機１の外部に放出される。
【００２９】
図３は、イオン発生装置１０の斜視図である。図４は、図３の矢印Ｃの方向から視たイオン発生装置１０の外観図である。図３、４を参照して、イオン発生装置１０の構成についてさらに説明する。
【００３０】
正イオン発生部１３は、ケース１２のイオン発生面上の一方端側（空気の流れの上流側）中央部に配置される。正イオン発生部１３は、第１誘電体１５と、放電電極１６とを含む。第１誘電体１５は、板形状に形成されるセラミック等の絶縁体である。放電電極１６は、正電圧が印加されることによって正イオンを発生する電極である。放電電極１６は、たとえば、第１誘電体の上面に印刷される印刷電極であるが、特に印刷電極に限定されるものではない。
【００３１】
放電電極１６は、たとえば、全体として長方形の形状を有するように形成される。なお、図では、放電電極１６の長方形状の長手方向が空気の流れる方向に対して直交しているが、放電電極１６の長方形状の長手方向が空気の流れる方向に対して平行になるようにしてもよい。
【００３２】
放電電極１６は、尖鋭形状を有する複数の放電部位１７と、複数の放電部位１７間を接続する導電部位１８とを含む。
【００３３】
具体的には、放電電極１６は、各々が空気の流れる方向に並べて配置された３本の線分により形成される部分と、当該３本の線分の各々の左端部を結ぶ線分により形成される部分と、当該３本の線分の各々の右端部を結ぶ線分により形成される部分と、当該３本の線分のうちの中央の線分上で交差する２本の交差線により形成される部分とを含む。なお、放電電極１６の形状は、このような形状に特に限定されるものではない。
【００３４】
当該３本の線分の各々には、尖鋭形状（図では三角形状）を有する３個の放電部位１７が等間隔に設けられる。放電部位１７は、尖鋭形状の先端部が空気の流れの下流側に向くように配置される。このような配置により、最も下流側の線分上に設けられる３個の放電部位１７（図４の破線枠内の放電部位）は、導電部位１８よりも下流側の位置、すなわち負イオン発生部１４との間に導電部位１８が介在しない位置に設けられることになる。放電部位１７の形状および個数は、図示した形状および個数に特に限定されるものではない。なお、導電部位１８は、複数の放電部位１７以外の放電電極１６の部分をいう。
【００３５】
放電電極１６に正電圧が印加されると、複数の放電部位１７の尖鋭形状の先端において特に多くの正イオンが発生することとなる。放電部位１７で発生した正イオンは、空気とともに下流側（負イオン発生部１４が存在する側）に流通する。
【００３６】
負イオン発生部１４は、ケース１２のイオン発生面上の他方端側（空気の流れの下流側）中央部に配置される。負イオン発生部１４は、針状電極２１と、保護カバー２２とを含む。保護カバー２２は、空気清浄機１の製造時あるいは修理時等において作業者による針状電極２１への接触を抑制する。保護カバー２２は、たとえば、空気の流れる方向が開口した形状を有する。さらに、保護カバー２２は、針状電極２１の先端と対向する部分が開口した形状を有する。
【００３７】
反発電極３０は、ケース１２のイオン発生面上の、正イオン発生部１３と負イオン発生部１４との間に印刷される印刷電極である。反発電極３０は、正電圧（正イオンと同じ極性の電圧）が印加されることにより、正イオンを負イオン発生部１４に近づけるための電気的な反発力を正イオンに作用させる。
【００３８】
具体的には、反発電極３０は、正イオン発生部１３から負イオン発生部１４に向かう経路（すなわち空気が流れる経路）を挟み込むように、その経路の両側に設けられる第１反発電極３１および第２反発電極３２を含む。第１反発電極３１および第２反発電極３２は、互いの間隔が負イオン発生部１４に近づくほど狭くなるように配置される。
【００３９】
図５は、図４の矢印Ｄの方向から視たイオン発生装置１０の内部構造を示す図である。正イオン発生部１３は、上述した第１誘電体１５および放電電極１６に加えて、第２誘電体１９と、誘導電極２０とをさらに含む。第２誘電体１９は、セラミック等の絶縁体を用いた第１誘電体１５と同サイズの板形状に形成される。誘導電極２０は、たとえば、第２誘電体１９の上面に印刷される印刷電極であるが、特に印刷電極に限定されるものではない。図５に示すように、正イオン発生部１３は、放電電極１６と、第１誘電体１５と、誘導電極２０と、第２誘電体１９とが積層されて形成される。
【００４０】
イオン発生装置１０が空気清浄機１に取り付けられた状態では、誘導電極２０はグランドレベルの部位に接続され、放電電極１６は正電圧（グランドレベルに対してたとえばプラス３ｋＶ程度の電位）を発生する正電圧発生部に接続される。
【００４１】
ケース１２には、正イオン発生部１３の形状に対応した長方形状の凹部が形成され、形成された凹部に正イオン発生部１３が配置される。放電電極１６に正電圧（誘導電極２０の電位を基準としてたとえばプラス３ｋＶ程度の電位）が印加されると、沿面放電により放電部位１７において正イオンが発生する。
【００４２】
負イオン発生部１４は、針状電極２１に加えて対向電極２３をさらに含む。イオン発生装置１０が空気清浄機１に取り付けられた状態では、対向電極２３はグランドレベルの部位に接続され、針状電極２１は負電圧（グランドレベルに対してたとえばマイナス３ｋＶ程度の電位）を発生する負電圧発生部に接続される。針状電極２１に負電圧が印加されると、放電により針状電極２１から電子が空気中に放出される。空気中に放出された電子の一部は、不安定なため酸素分子に捕捉され、上述した負イオンが発生する。
【００４３】
反発電極３０は、イオン発生装置１０が空気清浄機１に取り付けられた状態では、正電圧を発生する正電圧発生部に接続される。反発電極３０に印加される電圧は、正電圧であればよく、たとえばプラス１ｋＶ程度とすることができる。なお、反発電極３０に印加される電圧を、放電電極１６に印加される正電圧と同じ値としてもよい。この場合、放電電極１６に正電圧を印加する正電圧発生部と、反発電極３０に正電圧を印加する正電圧発生部とを共通化することができる。
【００４４】
図６は、イオン発生装置１０における反発電極３０の作用を説明するための図である。ユーザが空気清浄機１を作動させる操作を行なうと、当該操作によって送風装置５およびイオン発生装置１０の各々に電力が供給され、送風装置５およびイオン発生装置１０が作動し始める。
【００４５】
これにより、正イオン発生部１３に正電圧が印加され、放電部位１７で正イオンが発生する。また、負イオン発生部１４に負電圧が印加され、針状電極２１で電子と負イオンとが発生する。
【００４６】
送風装置５の作動によりダクト１１内において下端から上端に向かう空気の流れが形成される。そのため、正イオン発生部１３で発生した正イオンは、空気とともに負イオン発生部１４に向かって移動する。
【００４７】
ここで、負イオン発生部１４の針状電極２１は、上述したように、ケース１２のイオン発生面上の下流側中央部に配置される。そのため、針状電極２１から離れた領域（図６の斜線で示す非変換領域）では、正イオンを中和させるための電子の数が減り、正イオンが水素原子に変換される割合が低下する。そのため、矢印αで示すように、正イオンが針状電極２１から離れた領域を通ると、正イオンがそのまま外部へ放出される割合が高くなってしまう。
【００４８】
そこで、本実施の形態においては、正イオン発生部１３と負イオン発生部１４との間に、正イオンを負イオン発生部１４の近傍に導くための電気的な反発力を正イオンに作用させる反発電極３０が設けられる。
【００４９】
空気清浄機１の作動により、反発電極３０には正電圧が印加される。正イオン発生部１３で発生した正イオンは、同じ極性を有する第１反発電極３１と第２反発電極３２とで挟まれた経路を空気とともに流通する。この際、正イオンには第１反発電極３１および第２反発電極３２から離れる方向に作用する反発力が作用するため、正イオンは空気の流れの中央に集められる。これにより、正イオンを針状電極２１の近傍に集めて、正イオンが水素原子に変換される割合を上げる（すなわち正イオンが図６の非変換領域を通過してそのまま外部へ放出される割合を下げる）ことができる。したがって、より多くの水素原子を外部に送り出すことができる。
【００５０】
特に、本実施の形態においては、第１反発電極３１と第２反発電極３２との間隔が針状電極２１に近づくほど狭くなる。そのため、正イオンを負イオン発生部１４の近傍に適切に導くことができる。
【００５１】
図７は、イオン発生装置１０における放電電極１６の作用を説明するための図である。放電部位１７で発生した正イオンが負イオン発生部１４に到達する前に導電部位１８を通過する場合には、正イオンと導電部位１８とが同じ極性の電位を有するため、正イオンには導電部位１８から離れる方向の反発力が作用する。そのため、正イオンが負イオン発生部１４から離れて流通することとなり、正イオンが電子と中和されにくくなるおそれがある。
【００５２】
そこで、本実施の形態においては、正イオン発生部１３において、最も下流側の線分上に設けられる３個の放電部位１７（図４の破線枠内の放電部位）が、負イオン発生部１４との間に導電部位１８が介在しない位置に設けられる。
【００５３】
放電電極１６の空気が流れる方向に並ぶ３本の線分のうちの上流側の２本の線分の放電部位１７から発生した正イオンは、少なくとも最も下流側の線分の導電部位１８の部分を通過することとなる。そのため、上流側の２本の線分の放電部位１７から発生した正イオンには、最も下流側の線分の導電部位１８の部分から離れる方向の反発力が作用する。その結果、正イオンは、図７の矢印βに示すように、イオン発生装置１０から離れ、イオン発生装置１０に対向するダクト１１の内壁面に向けて拡散していく。その結果、針状電極２１に向けて移動する正イオンの濃度が低くなる。そのため、負イオン発生部１４において正イオンが水素原子となる割合は、正イオンが図７の矢印γに示す経路をたどる場合よりも低くなる。
【００５４】
一方、最も下流側の線分の放電部位１７と負イオン発生部１４との間には導電部位１８が介在しない。そのため、当該放電部位１７から発生した正イオンには、イオン発生装置１０から離れる方向の反発力は発生しない。その結果、最も下流側の線分の放電部位１７で発生した正イオンは、図７の矢印γに示すように、負イオン発生部１４に向けて流通する。その結果、針状電極２１に向けて移動する空気中の正イオンの濃度が高くなる。そのため、負イオン発生部１４において正イオンが水素原子となる割合は、正イオンが図７の矢印βに示す経路をたどる場合よりも高くなる。これにより、より多くの中性原子を外部に送り出すことができる。
【００５５】
以上のようにして、本実施の形態に係るイオン発生装置１０によると、正イオン発生部１３と負イオン発生部１４との間に、正電位が印加される反発電極３０が、空気の流れる経路を挟み込むように当該経路の両側に配置される。そのため、正イオンは反発電極３０と反発して空気の流れの中央に移動される。これにより、正イオンを負イオン発生部１４の近傍に集めて、より多くの正イオンを水素原子に変換させることができる。その結果、正イオンが中和されずにそのまま外部へ放出されることを抑制することができる。
【００５６】
なお、本実施の形態は、たとえば以下のように変更することもできる。
本実施の形態で説明した反発電極３０は、ケース１２のイオン発生面上に印刷される線状の電極であり、反発電極３０の高さ（ケース１２から離れる方向の幅）はイオン発生面とほぼ同じであった（図３参照）。これに対し、たとえば、反発電極３０を、保護カバー２２と同じ高さを有する板状の電極にしてもよい。また、反発電極３０の高さは、保護カバー２２と同じ高さに限らず、たとえばダクト１１の寸法に応じた任意の高さとしてもよい。
【００５７】
本実施の形態で説明した反発電極３０の端部は、正イオン発生部１３および負イオン発生部１４を挟み込む位置までは延在していない。これに対し、反発電極の端部を、正イオン発生部１３および／または負イオン発生部１４を挟み込む位置まで延在させるように変更してもよい。たとえば、図８に示すように、上述した反発電極３０に代えて、正イオン発生部１３を挟み込む位置まで延在する反発電極３０Ａ（第１反発電極３１Ａおよび第２反発電極３２Ａ）に変更してもよい。また、図９に示すように、上述した反発電極３０に代えて、正イオン発生部１３および負イオン発生部１４を挟み込む位置まで延在する反発電極３０Ｂ（第１反発電極３１Ｂおよび第２反発電極３２Ｂ）を用いるようにしてもよい。これらの変更によって、正イオンを負イオン発生部１４の近傍により適切に導くことができる。
【００５８】
また、本実施の形態で説明した反発電極３０は、第１反発電極３１と第２反発電極３２との間隔が負イオン発生部１４に近づくほど狭くなるように配置されているが、両者の配置は必ずしもこのような配置に限定されるものではない。たとえば、上述した反発電極３０に代えて、図１０に示すように、第１反発電極３１Ｃと第２反発電極３２Ｃとの間隔が一定となる反発電極３０Ｃに変更してもよい。このように変更しても、正イオンを負イオン発生部１４の近傍に導くことができる。
【００５９】
また、本実施の形態で説明した反発電極３０は、ケース１２のイオン発生面上に２本配置されるが、反発電極の配置場所および数は必ずしもこのような配置場所および数に限定されるものではない。たとえば、図１１に示すように、上述した反発電極３０に代えて、反発電極３０Ｄに変更してもよい。この反発電極３０Ｄは、ケース１２のイオン発生面上に配置される２本の第１、第２反発電極３１，３２に加えて、ケース１２のイオン発生面に対向するダクト１１の内壁面に設けられた第３反発電極３３を含む。この変更によって、正イオンがイオン発生装置１０に対向するダクト１１の内壁面に向けて拡散することを抑制し、正イオンを負イオン発生部１４の近傍により適切に導くことができる。なお、空気の流れる方向に連通されたトンネル形状のカバーがケース１２のイオン発生面に直接取り付けられている場合には、そのカバーの内壁面に第３反発電極３３を配置するようにしてもよい。
【００６０】
また、本実施の形態で説明した放電電極１６は、最も下流側の線分上に設けられる放電部位の尖鋭形状の先端部が空気の流れの下流側に向くように配置される放電部位１７を含んでいた。しかしながら、このような放電部位１７を含んでいなくてもよい。たとえば、図１２に示すように、上述した放電電極１６に代えて、従来相当の放電電極１６Ａに変更してもよい。この放電電極１６Ａは、最も下流側の線分上に設けられる放電部位の尖鋭形状の先端部が空気の流れの下流側ではなく上流側に向く放電部位１７Ａを含む。このような放電電極１６Ａを用いても、反発電極３０の作用によって、正イオンを負イオン発生部１４の近傍に導くことができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１  空気清浄機、２  第１吹出口、３  筺体、４  第２吹出口、５  送風装置、６  吸込口、７  グリル、８  フィルタ、９  ファンガード、１０  イオン発生装置、１１  ダクト、１２  ケース、１３  正イオン発生部、１４  負イオン発生部、１５  第１誘電体、１６，１６Ａ  放電電極、１７，１７Ａ  放電部位、１８  導電部位、１９  第２誘電体、２０  誘導電極、２１  針状電極、２２  保護カバー、２３  対向電極、３０，３０Ａ，３０Ｂ，３０Ｃ，３０Ｄ  反発電極、３１，３１Ａ，３１Ｂ，３１Ｃ  第１反発電極、３２，３２Ａ，３２Ｂ，３２Ｃ  第２反発電極、３３  第３反発電極。
【図１】
2014007007.tif 000003
【図２】
2014007007.tif 000004
【図３】
2014007007.tif 000005
【図４】
2014007007.tif 000006
【図５】
2014007007.tif 000007
【図６】
2014007007.tif 000008
【図７】
2014007007.tif 000009
【図８】
2014007007.tif 000010
【図９】
2014007007.tif 000011
【図１０】
2014007007.tif 000012
【図１１】
2014007007.tif 000013
【図１２】
2014007007.tif 000014